(57)【要約】【課題】  電子安定器の提供。【解決手段】  高周波出力変圧器、周波数変調／パワー増幅回路及び高周波バラスト及びキャパシタを具え、そのうち該高周波出力変圧器は一次側に周波数変調／パワー増幅回路が接続され、二次側にＮ組の高周波バラスト及びキャパシタが接続され、且つ各高周波バラスト及びキャパシタが各ランプのランプ電圧、ランプ電流の違いによりそれぞれ二次側にマッチングする。以上の構成要件で組成された電子安定器のＮ組のランプを点灯する時、各ランプのランプ電圧、ランプ電流が同じかどうかに関わらず、一次側のパワー増幅回路に影響を与えず、且つ出力変圧器が必要により必要な電圧を出力する調整を行なう。これは従来の電子安定器では達成できなかった機能である。【選択図】        図１
2005078825.tif 000002
【特許請求の範囲】
【請求項１】
高周波出力変圧器、周波数変調／パワー増幅回路及び高周波インダクタ及びキャパシタを具え、そのうち該高周波出力変圧器の一次側に周波数変調／パワー増幅回路が接続され、二次側にＮ組の高周波インダクタ及びキャパシタが接続され、且つ各高周波インダクタ及びキャパシタが各ランプのランプ電圧、ランプ電流の違いによりそれぞれ二次側にマッチングし、これにより、電子安定器がＮ組のランプを点灯する時、各ランプのランプ電圧、ランプ電流が同じかどうかに関わらず、一次側のパワー増幅回路に影響を与えず、且つ出力変圧器が必要により必要な電圧を出力する調整を行なうことを特徴とする、電子安定器。
【発明の詳細な説明】
【技術分野】
【０００１】
本発明は一種の電子安定器に係り、特に高周波出力変圧器、周波数変調／パワー増幅回路、高周波インダクタ及びキャパシタの特殊構造組成により、電子安定器をどんなランプ電圧、ランプ電流の放電ランプにも使用できるようにし、１対１、１対多、或いは１対複数種類の異なるランプであっても、その全体回路の最低温度上昇と安定点灯の実用効果を確保できる電子安定器に関する。
【背景技術】
【０００２】
一般に周知の電子安定器は図５に示されるように、周波数変調回路にインダクタＬ２が直列に接続され、定電流点灯の方式は、ランプが一つの回路中の一つの部品と見なされており、ランプに変動があれば回路の不良な反応を引き起こしやすい。且つこの回路は、電圧が電源電圧に制限されるため、点灯できるランプ数量が制限される。
ゆえに、各タイプのランプに適用可能であると共に、全体回路の安定性を確保できる電子安定器が求められている。
【発明の開示】
【発明が解決しようとする課題】
【０００３】
即ち、本発明の主要な目的は、一種の電子安定器を提供することにある。それは、高周波出力変圧器、周波数変調／パワー増幅回路、高周波インダクタ及びキャパシタを具え、且つ該高周波出力変圧器は一次側に周波数変調／パワー増幅回路が接続され、二次側にＮ組の高周波インダクタ及びキャパシタ（ＩＣ及びＭＯＳＦＥＴを採用）が接続されている。その高周波出力変圧器は主負荷とされ、振動周波数はＩＣにより決定される。高周波出力変圧器が考慮しなければならないのはただその添付するランプとのマッチングであり、負荷のマッチングは負荷ランプのランプ電圧とランプ電流の特性とマッチングすればよい。本発明の電子安定器の一般の電子安定器との違いは、その出力パワーランプ負荷とされるのが一つの高周波出力変圧器であることである。ＤＣが流れることがなく、ゆえにセルフカプリング式或いは隔離式のいずれをも使用できる。これにより、ランプと高周波インダクタはそれぞれが分離可能で、高周波出力変圧器はただ一つの電圧変圧器とされ、必要な出力電圧に調整できる。これは一般の電子安定器では達成しにくいことであり、この高周波出力変圧器を通してＮ本のランプ、或いはＮ本、Ｎ種の異なるタイプのランプの使用に供することができる。
【課題を解決するための手段】
【０００４】
請求項１の発明は、高周波出力変圧器、周波数変調／パワー増幅回路及び高周波インダクタ及びキャパシタを具え、そのうち該高周波出力変圧器の一次側に周波数変調／パワー増幅回路が接続され、二次側にＮ組の高周波インダクタ及びキャパシタが接続され、且つ各高周波インダクタ及びキャパシタが各ランプのランプ電圧、ランプ電流の違いによりそれぞれ二次側にマッチングし、これにより、電子安定器がＮ組のランプを点灯する時、各ランプのランプ電圧、ランプ電流が同じかどうかに関わらず、一次側のパワー増幅回路に影響を与えず、且つ出力変圧器が必要により必要な電圧を出力する調整を行なうことを特徴とする、電子安定器としている。
【発明の効果】
【０００５】
本発明の優れた点は以下のとおりである。
１．電子安定器でＮ組のランプを点灯する時、各組のランプ電圧、ランプ電流が同じであってもなくても、一次側のパワー増幅回路に影響を与えず、且つ出力変圧器が必要により必要な電圧を出力するよう調整可能で、これは周知の一般の電子安定器では達成しにくい長所である。
２．該高周波インダクタ及びキャパシタは回路中で直列共振を形成し、キャパシタによりフィラメントが十分な電流を有して燃焼し、高周波インダクタ及びキャパシタの共振により発生する高周波高電圧によりランプ点灯後のランプ内抵抗が低くなり、ランプの正常点灯が保証され、これにより本回路はただ高周波出力変圧器、高周波インダクタ及びキャパシタの組合せにより、任意の二次放電のランプにマッチングさせられる。
【発明を実施するための最良の形態】
【０００６】
図１、４に示される本発明の電子安定器の好ましい実施例によると、本発明は高周波出力変圧器、周波数変調／パワー増幅回路、高周波インダクタ及びキャパシタを具え、且つ高周波出力変圧器はその一次側に周波数変調／パワー増幅回路が接続され、二次側にＮ組の高周波インダクタ及びキャパシタ（ＩＣ及びＭＯＳＦＥＴを採用）が接続されている。その高周波出力変圧器は主負荷とされ、振動周波数はＩＣにより決定される。高周波出力変圧器が考慮しなければならないのはただその添付するランプとのマッチングであり、負荷のマッチングは負荷ランプのランプ電圧とランプ電流の特性とマッチングすればよい。本発明の電子安定器の一般の電子安定器との違いは、その出力パワーランプ負荷とされるのが一つの高周波出力変圧器であることである。ＤＣが流れることがなく、ゆえにセルフカプリング式或いは隔離式のいずれをも使用できる。これにより、ランプと高周波インダクタはそれぞれが分離可能で、高周波出力変圧器はただ一つの電圧変圧器とされ、必要な出力電圧に調整できる。これは一般の電子安定器では達成しにくいことであり、この高周波出力変圧器を通してＮ本のランプ、或いはＮ本、Ｎ種の異なるタイプのランプの使用に供することができる。
【０００７】
図２に示されるように、高周波インダクタＬ１及びキャパシタＣ１が直列に接続されて共振により点灯電圧を発生してランプに点灯した後、Ｃ１の内部抵抗はランプの内部抵抗に較べて非常に多くなり、ランプのランプ電流がＬ１の制御により安定したランプ電流とされる。
【０００８】
本発明の電子安定器の回路の特徴は、高周波電圧と電流をいずれも負荷のランプにマッチングするよう調整できることであり、且つ本回路はある固定周波数及び固定電圧の設計とされ、そのパワー増幅回路の出力トランジスタは直列に接続され、ＭＯＳＦ及びバイポーラ型のいずれも使用でき、高耐圧のトランジスタを選択して周波数及び電圧を固定する必要がなく、負荷を容易に処理及び設計でき、且つ自由にＮ個の数量及び任意のパワー及び任意の種類の二次放電の発光体にマッチングさせられる。且つ高周波インダクタ及びキャパシタは図２に示されるような接続方法でも使用できる。
【０００９】
もしバイポーラ型を使用するならば、図３に示されるように、異なるところはパワー増幅回路にバイポーラトランジスタを採用することであり、ゆえにショットキーダイオードＤ１及びＤ２を必ず使用し、そうでなければチップが発熱しうる。
【００１０】
本発明の電子安定器の回路の周知の定電圧安定器とのもう一つの違いは、一般の定電圧点灯回路は、電圧をランプ電圧の三倍以上に高めなければランプを点灯させられず、出力変圧器はランプを点灯させた後、高電圧の電位となるが、これを出力変圧器が処理するのは容易でない。
【００１１】
本発明の電子安定器の高周波インダクタ及びキャパシタは、回路中で直列共振を形成し、キャパシタによりフィラメントが十分な電流を有して燃焼する。高周波インダクタ及びキャパシタの共振時に発生する高周波高電圧によりランプが点灯し、点灯後のランプ内抵抗は低くなり、これにより電流がランプを流れ、該高周波インダクタの主要な作用は高周波限流器とされてランプの得以上な点灯を保証することにある。本回路はただ高周波出力変圧器、高周波インダクタ及びキャパシタの組合せにより、任意の二次放電のランプ、例えばＨＩＤ、ＨＱＩランプ、一般の蛍光灯にマッチングさせられる。
【図面の簡単な説明】
【００１２】
【図１】本発明の実施例の電気回路図である。
【図２】本発明の別の実施例の電気回路図である。
【図３】本発明のさらに別の実施例の電気回路図である。
【図４】本発明の実施例のブロック図である。
【図５】周知の技術の電気回路図である。
【図１】
2005078825.tif 000003
【図２】
2005078825.tif 000004
【図３】
2005078825.tif 000005
【図４】
2005078825.tif 000006
【図５】
2005078825.tif 000007
【手続補正書】
【提出日】平成15年9月26日(2003.9.26)
【手続補正１】
【補正対象書類名】特許請求の範囲
【補正対象項目名】全文
【補正方法】変更
【補正の内容】
【特許請求の範囲】
【請求項１】
高周波出力変圧器、周波数変調／パワー増幅回路及び高周波バラスト及びキャパシタを具え、そのうち該高周波出力変圧器の一次側に周波数変調／パワー増幅回路が接続され、二次側にＮ組の高周波バラスト及びキャパシタが接続され、且つ各高周波バラスト及びキャパシタが各ランプのランプ電圧、ランプ電流の違いによりそれぞれ二次側にマッチングし、これにより、電子安定器がＮ組のランプを点灯する時、各ランプのランプ電圧、ランプ電流が同じかどうかに関わらず、一次側のパワー増幅回路に影響を与えず、且つ出力変圧器が必要により必要な電圧を出力する調整を行なうことを特徴とする、電子安定器。
【手続補正２】
【補正対象書類名】明細書
【補正対象項目名】全文
【補正方法】変更
【補正の内容】
【発明の詳細な説明】
【技術分野】
【０００１】
本発明は一種の電子安定器に係り、特に高周波出力変圧器、周波数変調／パワー増幅回路、高周波バラスト及びキャパシタの特殊構造組成により、電子安定器をどんなランプ電圧、ランプ電流の放電ランプにも使用できるようにし、１対１、１対多、或いは１対複数種類の異なるランプであっても、その全体回路の最低温度上昇と安定点灯の実用効果を確保できる電子安定器に関する。
【背景技術】
【０００２】
一般に周知の電子安定器は図５に示されるように、周波数変調回路にインダクタＬ２が直列に接続され、定電流点灯の方式は、ランプが一つの回路中の一つの部品と見なされており、ランプに変動があれば回路の不良な反応を引き起こしやすい。且つこの回路は、電圧が電源電圧に制限されるため、点灯できるランプ数量が制限される。
ゆえに、各タイプのランプに適用可能であると共に、全体回路の安定性を確保できる電子安定器が求められている。
【発明の開示】
【発明が解決しようとする課題】
【０００３】
即ち、本発明の主要な目的は、一種の電子安定器を提供することにある。それは、高周波出力変圧器、周波数変調／パワー増幅回路、高周波バラスト及びキャパシタを具え、且つ該高周波出力変圧器は一次側に周波数変調／パワー増幅回路が接続され、二次側にＮ組の高周波バラスト及びキャパシタ（ＩＣ及びＭＯＳＦＥＴを採用）が接続されている。その高周波出力変圧器は主負荷とされ、振動周波数はＩＣにより決定される。高周波出力変圧器が考慮しなければならないのはただその添付するランプとのマッチングであり、負荷のマッチングは負荷ランプのランプ電圧とランプ電流の特性とマッチングすればよい。本発明の電子安定器の一般の電子安定器との違いは、その出力パワーランプ負荷とされるのが一つの高周波出力変圧器であることである。ＤＣが流れることがなく、ゆえにセルフカプリング式或いは隔離式のいずれをも使用できる。これにより、ランプと高周波バラストはそれぞれが分離可能で、高周波出力変圧器はただ一つの電圧変圧器とされ、必要な出力電圧に調整できる。これは一般の電子安定器では達成しにくいことであり、この高周波出力変圧器を通してＮ本のランプ、或いはＮ本、Ｎ種の異なるタイプのランプの使用に供することができる。
【課題を解決するための手段】
【０００４】
請求項１の発明は、高周波出力変圧器、周波数変調／パワー増幅回路及び高周波バラスト及びキャパシタを具え、そのうち該高周波出力変圧器の一次側に周波数変調／パワー増幅回路が接続され、二次側にＮ組の高周波バラスト及びキャパシタが接続され、且つ各高周波バラスト及びキャパシタが各ランプのランプ電圧、ランプ電流の違いによりそれぞれ二次側にマッチングし、これにより、電子安定器がＮ組のランプを点灯する時、各ランプのランプ電圧、ランプ電流が同じかどうかに関わらず、一次側のパワー増幅回路に影響を与えず、且つ出力変圧器が必要により必要な電圧を出力する調整を行なうことを特徴とする、電子安定器としている。
【発明の効果】
【０００５】
本発明の優れた点は以下のとおりである。
１．電子安定器でＮ組のランプを点灯する時、各組のランプ電圧、ランプ電流が同じであってもなくても、一次側のパワー増幅回路に影響を与えず、且つ出力変圧器が必要により必要な電圧を出力するよう調整可能で、これは周知の一般の電子安定器では達成しにくい長所である。
２．該高周波バラスト及びキャパシタは回路中で直列共振を形成し、キャパシタによりフィラメントが十分な電流を有して燃焼し、高周波バラスト及びキャパシタの共振により発生する高周波高電圧によりランプ点灯後のランプ内抵抗が低くなり、ランプの正常点灯が保証され、これにより本回路はただ高周波出力変圧器、高周波バラスト及びキャパシタの組合せにより、任意の二次放電のランプにマッチングさせられる。
【発明を実施するための最良の形態】
【０００６】
図１、４に示される本発明の電子安定器の好ましい実施例によると、本発明は高周波出力変圧器、周波数変調／パワー増幅回路、高周波バラスト及びキャパシタを具え、且つ高周波出力変圧器はその一次側に周波数変調／パワー増幅回路が接続され、二次側にＮ組の高周波バラスト及びキャパシタ（ＩＣ及びＭＯＳＦＥＴを採用）が接続されている。その高周波出力変圧器は主負荷とされ、振動周波数はＩＣにより決定される。高周波出力変圧器が考慮しなければならないのはただその添付するランプとのマッチングであり、負荷のマッチングは負荷ランプのランプ電圧とランプ電流の特性とマッチングすればよい。本発明の電子安定器の一般の電子安定器との違いは、その出力パワーランプ負荷とされるのが一つの高周波出力変圧器であることである。ＤＣが流れることがなく、ゆえにセルフカプリング式或いは隔離式のいずれをも使用できる。これにより、ランプと高周波バラストはそれぞれが分離可能で、高周波出力変圧器はただ一つの電圧変圧器とされ、必要な出力電圧に調整できる。これは一般の電子安定器では達成しにくいことであり、この高周波出力変圧器を通してＮ本のランプ、或いはＮ本、Ｎ種の異なるタイプのランプの使用に供することができる。
【０００７】
図２に示されるように、高周波バラストＬ１及びキャパシタＣ１が直列に接続されて共振により点灯電圧を発生してランプに点灯した後、Ｃ１の内部抵抗はランプの内部抵抗に較べて非常に多くなり、ランプのランプ電流がＬ１の制御により安定したランプ電流とされる。
【０００８】
本発明の電子安定器の回路の特徴は、高周波電圧と電流をいずれも負荷のランプにマッチングするよう調整できることであり、且つ本回路はある固定周波数及び固定電圧の設計とされ、そのパワー増幅回路の出力トランジスタは直列に接続され、ＭＯＳＦ及びバイポーラ型のいずれも使用でき、高耐圧のトランジスタを選択して周波数及び電圧を固定する必要がなく、負荷を容易に処理及び設計でき、且つ自由にＮ個の数量及び任意のパワー及び任意の種類の二次放電の発光体にマッチングさせられる。且つ高周波バラスト及びキャパシタは図２に示されるような接続方法でも使用できる。
【０００９】
もしバイポーラ型を使用するならば、図３に示されるように、異なるところはパワー増幅回路にバイポーラトランジスタを採用することであり、ゆえにショットキーダイオードＤ１及びＤ２を必ず使用し、そうでなければチップが発熱しうる。
【００１０】
本発明の電子安定器の回路の周知の定電圧安定器とのもう一つの違いは、一般の定電圧点灯回路は、電圧をランプ電圧の三倍以上に高めなければランプを点灯させられず、出力変圧器はランプを点灯させた後、高電圧の電位となるが、これを出力変圧器が処理するのは容易でない。
【００１１】
本発明の電子安定器の高周波バラスト及びキャパシタは、回路中で直列共振を形成し、キャパシタによりフィラメントが十分な電流を有して燃焼する。高周波バラスト及びキャパシタの共振時に発生する高周波高電圧によりランプが点灯し、点灯後のランプ内抵抗は低くなり、これにより電流がランプを流れ、該高周波バラストの主要な作用は高周波限流器とされてランプの得以上な点灯を保証することにある。本回路はただ高周波出力変圧器、高周波バラスト及びキャパシタの組合せにより、任意の二次放電のランプ、例えばＨＩＤ、ＨＱＩランプ、一般の蛍光灯にマッチングさせられる。
【図面の簡単な説明】
【００１２】
【図１】本発明の実施例の電気回路図である。
【図２】本発明の別の実施例の電気回路図である。
【図３】本発明のさらに別の実施例の電気回路図である。
【図４】本発明の実施例のブロック図である。
【図５】周知の技術の電気回路図である。
【手続補正４】
【補正対象書類名】図面
【補正対象項目名】図４
【補正方法】変更
【補正の内容】
【図４】
2005078825.tif 000008